(57)【特許請求の範囲】
【請求項１】
保護システムにおいて、
着用者の額に対し相補的な表面、空気入口、空気出口および内部バッフルを有して、空気流路を形成するディフューザーと、
前記ディフューザーに連結された実質的に透明なフェイスシールドと、
前記ディフューザーから延在するヘッドクレードルであって、自由端および該自由端と該ディフューザーとの間に延在する長さ部分を有し、該長さ部分の一部が弓形の形状を有し、それにより、保護システム使用時に、該ヘッドクレードルが、一部分で着用者の頭部の頂部および後部に適合して着用者の後頭部突起に向かって延び、該自由端が着用者の後頭部突起の下側の領域に置かれるようになっている、ヘッドクレードルと、
前記ディフューザーに連結され、該ディフューザーを通してエアフローを生成するブロアーであって、入口を有し、動力源に連結されるブロアーと、
前記ディフューザーに連結され、前記ブロアーの前記入口を実質的に取り囲むフィルタと、
を具備することを特徴とする保護システム。
【請求項２】
前記フェイスシールドに連結され、該フェイスシールドの周縁に沿って配置される柔軟な出口シールをさらに具備し、該出口シールは、着用者の頭部の境界に係合して適合するようになっており、それにより、該フェイスシールドと着用者の顔の表面と該出口シールとによって画定される呼吸ゾーンを形成する、請求項１記載の保護システム。
【請求項３】
前記出口シールは、前記フェイスシールドに取り付けられる不織ウェブを具備する、請求項２記載の保護システム。
【請求項４】
前記不織ウェブは、ポリプロピレンおよびポリエステル繊維から構成される、請求項３記載の保護システム。
【請求項５】
前記ディフューザーに空気不透過バンドが設けられる、請求項１〜４のいずれか１項に記載の保護システム。
【請求項６】
前記ブロアーに制御装置が設けられる、請求項１〜５のいずれか１項に記載の保護システム。
【請求項７】
前記ブロアーは、１１０〜１７０リットル／分のエアフローを生成する、請求項１〜６のいずれか１項に記載の保護システム。
【請求項８】
人の顔の保護器において、
自由端および長さ部分を有するヘッドクレードルであって、該長さ部分の一部が弓形の形状を有し、それにより、保護器使用時に、該ヘッドクレードルが、一部分で人の頭部の頂部および後部に適合して人の後頭部突起に向かって延び、該自由端が人の後頭部突起の下側の領域に置かれるようになっている、ヘッドクレードルと、
前記ヘッドクレードルの一端から延在する実質的に透明な空気不透過性かつ剛性のフェイスシールドであって、周縁を有し、人の顔の形状に適合するとともに顔の寸法を超えるように形成されたフェイスシールドと、
前記フェイスシールドの前記周縁に隣接して該周縁に沿って配置され、人の顔の境界に係合して適合するようになっている繊維質のフェイスフィルタシールであって、保護器使用時に、前記フェイスシールドと人の顔の表面と該フェイスフィルタシールによって画定される呼吸ゾーンを形成するフェイスフィルタシールと、
ブロアーの入口に関連して設けられ、該入口を実質的に取り囲む入口フィルタであって、前記呼吸ゾーンに供給される空気を濾過する入口フィルタと、
を具備することを特徴とする保護器。
【発明の詳細な説明】
【０００１】
技術分野
本発明は、ユーザのために呼吸系および／または衝撃およびはね返し保護と着用者の呼気から環境の保護との組合せを提供する。特に、軽量の、正／負圧力呼吸系および保護装置を提供する。
【０００２】
背景
近年、患者の健康を損なわずにケア提供者の健康を保護することがますます重要になってきている。これは、結核、後天性免疫不全症候群およびヘルペス等の感染症の発病率が増えていることに反映する。適切な保護装置を選択するには多くの要因を考慮しなければならない。たとえば、ケア提供者と心配している病人との間の言葉によるおよび視覚によるコミュニケーションは、患者を安心させ患者に対する関心を表すのに重要であり得る。さらに、緊急の状況では、身につけるのが容易であり顔または頭蓋の調節が必要ない保護システムが時間の節約になる。さらに、保護装置は、長い時間着用していて快適でなければならない。
【０００３】
一般に、本発明より前から公知のマスクおよび呼吸器を初めとする、遮断および遮蔽保護システムは、高レベルの保護を提供するが、身につけて適切に調節するのが困難である。さらに、これらの装置は、たとえ短い時間であっても着ていて不快である。さらに、多くのものが、着用者の顔の一部またはすべて、特に口を隠す。
【０００４】
換気を組み込んだ保護システムまたは換気システムは公知である。米国特許第４，０５５，１７２号（Ｋｎａｂ）には、外科医の保護ヘルメットおよび手術着の中へ且つこれを通って空気を引いて、その空気が室内に戻る前に濾過する真空システムを使用することが開示されている。ユーザを装置につなぎ止める必要性から生じる移動性の欠如は望ましくなく、また、室内の汚染からユーザを保護する必要性には触れられていない。移動性の問題は、米国特許第４，０１９，５０８号（Ｄｅｒ  Ｅｓｔｅｐｈａｎｉｕａｎ，ｅｔ  ａｌ．）によって対処されている。外科医によって着用される「バックパック（ｂａｃｋ  ｐａｃｋ）」自立装置が記載されている。しかし、バックパックを着用すると、ユーザに、平衡の問題、ぎこちなさの問題および疲労の問題が生じ、また、これにも、周囲空気の汚染からユーザを保護する記載はいない。
【０００５】
正圧呼吸器は工業用途に広く使用されている。その使用は、政府機関により規制されることが多い。これらの装置は、濾過された空気をユーザへ提供する。圧縮された空気ラインまたはブロアーを使用して、その空気を保安ヘルメットまたは呼吸器のフェイスピースに分配する。米国特許第４，４６２，３９９号（Ｂｒａｕｎ）には、「ヘルメット内フィルタ」概念が開示されており、顔シール手段を使用して装置を顔に対してシールする。米国特許第４，２８０，４９１号（Ｂｅｒｇ  ｅｔ  ａｌ．）に開示されているように、空気出口開口が設けられて、装置から空気が流れ出ることができる。そのような装置は、「正圧呼吸器（Ｐｏｓｉ  ｉｖｅ  Ｐｒｅｓｓｕｒｅ  Ｒｅｓｐｉｒａ  ｏｒｓ）」という題名の３Ｍパンフレットにも記載されている（ミネソタ州セントポール、３Ｍ）。そのような装置の意図は、着用者を環境から保護することであり、空気が環境に出る前に正圧システムから着用者に起因する汚染を除去することは提供されていない。
【０００６】
眼、鼻、耳および口を含む顔の保護は、米国特許第４，９６５，８８７号（Ｐａｏｌｕｃｃｉｏ  ｅｔ  ａｌ．）に教示されている。この装置は、関連した眼鏡によって適所に保持された略円筒形の透明なプラスチックのフェイスシールドを使用する。この特許も、保安帽または他の形態のヘルメットにシールドを取り付けることを示唆する。着用者をさらに保護するために、シールドの底部に取り付けられた拡張したスカートを使用することが示唆される。装置を着用することから蓄積する熱を逃すために、流体不透過性頭蓋用帽子の頂部および底部に開口が設けられる。着用者に対する呼吸系の保護は提供されない。
【０００７】
着用者の頭部および／または顔を保護し覆うための保護的遮断および遮蔽システムは、調節可能なハーネスを使用して、保安帽および／またはフェイスシールド保護装置を着用者の頭部に留める。これらのハーネスは、頭部の冠上に側部から側部へ延在するヘッドバンドで頭部を取り囲む水平ヘッドバンドを結合する。保護的装置は、ハーネスから懸垂するかまたはその上に装着される。着用者の頭部にヘルメットシステムを留めるのに使用される典型的なハーネスは、米国特許第３，９５５，５７０号（Ｈｕｔｔｅｒ）、第４，２８０，４９１号（Ｂｅｒｇ  ｅｔ  ａｌ．）、第４，９０１，７１６号（Ｓｔａｃｋｈｏｕｓｅ  ｅｔ  ａｌ．）および第５，１２５，４０２号（Ｇｒｅｅｎｏｕｇｈ）に記載されている。そのようなハーネスは、工業および建設で広く使用されている。ラチェット装置（たとえば、ＨｕｔｔｅｒまたはＳｔａｃｋｈｏｕｓｅ  ｅｔ  ａｌ．）を使用して、一般に小さな表面積上で頭部に圧力をかけるヘッドバンドを締める。ヘルメットの偶然の動きを防ぐのに十分な圧力は不快であり、ハーネスが髪の毛を乱し、圧力が頭部および／または額に痕を残す。
【０００８】
米国特許第５，３８１，５６０号（Ｈａｌｓｔｅａｄ）には、プラスチック（たとえば拡張可能なポリスチレン）ライナーに取り付けられた発泡パッドを含むヘルメット用の嵌合および保持システムが記載されている。ライナーは、調節可能なナイロンストラップによって頭蓋に留められ、ナイロンストラップは、頭部の後頭部突起に「滑り係合」するように位置決めされることが可能である。ヘルメットの意図は、自転車乗りの頭部を転倒の際に保護することである。他の用途または使用については触れられていない。
【０００９】
米国特許第５，３２５，８９２号（Ｊａｐｕｎｔｉｃｈ  ｅｔ  ａｌ．）に記載されているように、一般的に弁を呼吸系保護システムに付けて、吸入サイクルの間に汚染された空気が呼吸ゾーンに入るのを防ぐ。上記Ｓｔａｃｋｈｏｕｓｅｅｔ  ａｌ．特許に開示されているように、一方向弁もクリーンルーム装置で使用して、環境の汚染を防いでもよい。
【００１０】
発明の開示
軽量で、着脱が容易で、快適であり、パノラマ式視界を提供し、清潔な吸入空気を供給し、吐かれた空気を濾過する保護システムの必要性がある。
そこで本発明は、着用者の額に対し相補的な表面、空気入口、空気出口および内部バッフルを有して、空気流路を形成するディフューザーと、前記ディフューザーに連結された実質的に透明なフェイスシールドと、前記ディフューザーから延在するヘッドクレードルであって、自由端および該自由端と該ディフューザーとの間に延在する長さ部分を有し、該長さ部分の一部が弓形の形状を有し、それにより、保護システム使用時に、該ヘッドクレードルが、一部分で着用者の頭部の頂部および後部に適合して着用者の後頭部突起に向かって延び、該自由端が着用者の後頭部突起の下側の領域に置かれるようになっている、ヘッドクレードルと、前記ディフューザーに連結され、該ディフューザーを通してエアフローを生成するブロアーであって、入口を有し、動力源に連結されるブロアーと、前記ディフューザーに連結され、前記ブロアーの前記入口を実質的に取り囲むフィルタとを具備する保護システムを提供する。
また、本発明は、自由端および長さ部分を有するヘッドクレードルであって、該長さ部分の一部が弓形の形状を有し、それにより、保護器使用時に、該ヘッドクレードルが、一部分で人の頭部の頂部および後部に適合して人の後頭部突起に向かって延び、該自由端が人の後頭部突起の下側の領域に置かれるようになっている、ヘッドクレードルと、前記ヘッドクレードルの一端から延在する実質的に透明な空気不透過性かつ剛性のフェイスシールドであって、周縁を有し、人の顔の形状に適合するとともに顔の寸法を超えるように形成されたフェイスシールドと、前記フェイスシールドの前記周縁に隣接して該周縁に沿って配置され、人の顔の境界に係合して適合するようになっている繊維質のフェイスフィルタシールであって、保護器使用時に、前記フェイスシールドと人の顔の表面と該フェイスフィルタシールによって画定される呼吸ゾーンを形成するフェイスフィルタシールと、ブロアーの入口に関連して設けられ、該入口を実質的に取り囲む入口フィルタであって、前記呼吸ゾーンに供給される空気を濾過する入口フィルタとを具備する保護器を提供する。
【００１１】
本発明は、特定のエーロゾル、血液の飛沫および他の体液から着用者を保護する新しい保護装置を提供する。装置は、濾過された空気を冷却することを提供し、且つ湿分の蓄積を除去することができる。これはまた、着用者が働いている環境を着用者による汚染から保護する。ヘルスケア患者および他の人が着用者の関心および心配を認識することができる。装置は、気体および蒸気からの保護を提供するようにも適合することが可能である。ヘルスケア分野に使用するのに加えて、本発明の保護装置は、食品業界、製薬業界、半導体業界および他の業界で使用されることができる。装置は、携帯用であるか、あるいは空気源につなげられるかまたは固定される。
【００１２】
保護システムは、ヘッドクレードルと、ヘッドクレードルに連結された実質的に透明なレンズ状顔保護シールド部材とを有する。顔保護シールド部材は、はね返しおよび／または衝撃耐性である。
【００１３】
ヘッドクレードルは湾曲しており、ユーザの頭部の頂部および後部にほぼ従う。ヘッドクレードルは、保護装置、この場合はフェイスシールドを着用者の頭部に支持する支持部材である。クレードルは、多大な多様性のある頭部の寸法を収容する。クレードルのすべてまたは一部は弾性があり、穏やかな圧縮で頭部をしっかり把持するばね状効果を提供する。圧縮効果は、基本的に２つの点の間に生じ、すなわち、着用者の額に相補的な保護装置の部分（すなわち、ほぼ着用者の額）と、装置が使用されているときに一般に後頭部突起の下にあるヘッドクレードルの自由端（すなわち、ほぼ着用者の頭部の後ろで後頭部突起の下）と、である。
【００１４】
装置は、ヘッドハーネスによって支持されてもよい。あるいは、ヘッドクレードルは、保安帽用途のように、ヘッドハーネスとともに使用してもよい。
【００１５】
フェイスシールドと着用者の顔とが、ヘッドクレードルに作用的に保持されたエアフロー生成器またはブロアーによってよって満たされた呼吸ゾーンを実質的に規定する。加圧された空気源はブロアーに連結されるか、またはそれの代わりに使用される。
【００１６】
ブロアーは異なる電源から動力を供給されてもよいが、電気供給されることが好ましい。電池またはソーラーアレイ等の電流生成器が好適である。直接ワイヤ線電圧を使用してもよい。
【００１７】
フィルタはブロアーに関連づけられてもよい。好適な実施態様において、フィルタはブロアーと電源とを取り囲む。袋状フィルタがブロアーを取り囲む本発明の好適なフィルタ概念および配置は、事実上いずれの強制エアシステムにも使用されるが、これは特に、小型化と重量とが考慮事項である用途に特によく適する。
【００１８】
フィルタを入口から間隔をおくために入口近傍にスペーサーが携えられてもよい。本発明のブロアーおよびフィルタの特徴は、典型的な保安帽ハーネスとともに使用するかまたは現在利用可能な保護システムを改良する。
【００１９】
本発明の保護システムは、ディフューザーを含んでもよい。好ましくは、ディフューザーは、前面と後面と空気入口と空気出口と複数の内部バッフルとを有する。ディフューザーは、空気流路を規定する。後面は、人の額にほぼ相補的であることが好ましく、空気不透過バンドを有してもよい。フェイスシールドはディフューザーに連結され、ヘッドクレードルは、ディフューザーからほぼ後ろ側に延在する。ブロアーまたはエアフロー生成器がディフューザーに連結され、ディフューザーを通ってエアフローを生成する。
【００２０】
フェイスシールドは、呼吸ゾーンから排出される前に空気を濾過するための出口フィルタシールを有してもよい。出口フィルタシールは、一般に柔軟性があり、フェイスシールドに作用的に連結され、フェイスシールドの周縁に沿って配置される。人の頭部の境界に略係合して適合するようになっている。システムが、フェイスシールドとともに、着用されるときに、顔の表面と出口フィルタシールとが、清潔な空気で満たされる呼吸ゾーンを形成する。
【００２１】
本発明の保護装置は、重量が軽く、着脱が容易であり、着ていて快適であり、パノラマ式視界を提供し、吐かれた空気を濾過し、濾過された吸入空気を供給する。髭を生やした人も、眼鏡をかけた人も使用することができる。これは、ヘルスケアワーカーと患者とに相互保護を提供するようによく適合され、着用者からの潜在的汚染を減少する。
【００２２】
本発明のシステムおよびその特徴部は、従来の強制エア装置よりも実質的に低コストで製造することができ、したがって、病院、クリニック、工業およびオフィス状況でより広くより頻繁に使用することができると信じられる。
【００２３】
詳細な説明
本発明の好適な実施態様を説明するにあたり、明瞭化のために特定の用語を使用する。しかし、本発明は、選択された特定の用語に限定されることを意図せず、選択された各用語は、同様に作用するすべての技術的等価物を含むと理解されるものとする。
【００２４】
本明細書で使用されるように、「顔」という用語は、慣習的な意味を有するように意図され、すなわち、人の頭部の前部であり、通常、額から顎までであり、側方向に耳まで延在するが、耳は含まない。顔は、顎、口、鼻、頬、眼および通常、額を含む。
【００２５】
本明細書で使用されるように、「頭部」という用語は、慣習的な意味を有するように意図されるが、首および肩の部分を含んでもよい。
【００２６】
本明細書で、前と後ろ、右と左、頂部と底部、上部と下部および水平と垂直に関する参照は、記載の便宜のためのみを意図し、本発明またはその成分をいずれの位置的または空間的配向に限定するものではない。そのような用語は、従来の意味として読まれ、理解されるものとする。
【００２７】
本発明は、はね返しまたは衝撃保護装置として使用される。さらに、装置は、正圧または負圧のいずれかによって、着用者に呼吸系保護を提供することもできる。本発明はまた、着用者の呼気の汚染に対して非着用者への保護も提供する。
【００２８】
図面は、本発明の保護フェイスシールド呼吸システム２０と、その特徴および構成要素とを描く。システム２０は、ヘルスケア業界で使用されることがきわめて適切であるが、システム２０は他の多くの分野でも使用することができ、実際に、人を環境から隔離することが望ましいいずれの状況、たとえば、製薬業界、化学業界、エレクトロニクス業界で使用されることが可能である。
【００２９】
図１を参照すると、本発明は、クレードル２４に連結したフェイスシールド２２を有する保護システム２０を提供する。フェイスシールド２２は、はね返しおよび／または衝撃耐性を提供することができる。好ましくは、フェイスシールド２２は透明であり、広い視野を提供する。パノラマ式視界を提供するフェイスシールド２２が好適である。
【００３０】
フェイスシールド２２は、はね返しおよび衝撃耐性の所望のレベルを提供するいずれの適切な材料でいずれの寸法または形状で製造されてもよい。本発明では、透明なポリカーボネートが好適な材料である。しかし、当業者は、様々な材料を使用することができることを認識する。同様に、本発明では様々な形状および寸法を使用することができる。少なくとも１つの実施態様では、フェイスシールド２２は、人の顔の形状にほぼ適合し、顔の寸法を超えるように形成される。フェイスシールド２２またはレンズは、ヘッドクレードルに可動的にまたはヒンジ止めで連結されることができ、また、２つまたはそれ以上のヒンジ止めで連結された片から形成されてもよく、そのため、たとえば、保護システムを外さずに何かを飲むために、着用者はフェイスシールド２２の下部分（たとえば）を開けることができる。
【００３１】
図１、２を参照すると、フェイスシールド２２はヘッドクレードル２４に取り付けられる。クレードル２４は、略湾曲または弓形のへら形状である。クレードル２４は、接着剤、ねじまたはばねを初めとする多くの手段によってヘッドシールドも留められてもよい。クレードルは、自由端２５と、自由端２５とフェイスシールド２２への取付具との間にほぼ延在する長さ部分２７とを有する。ヘッドクレードル２４は、着用者の頭部にほぼ適合しこれに対して滑り嵌めする形状である。
【００３２】
クレードル２４は、弾性のある材料から作られる。その長さ部分２７のすべてまたは一部は、弾性がある。好適な実施態様において、材料は透明なポリエステルである。他の適切な材料として、ポリオレフィンおよびＡＢＳ等のプラスチックおよびばね鋼等の金属が挙げられる。弾性は、ばねまたは他の類似構造物を使用することによって高められる。クレードル２４は、使用時に、自由端２５が着用者の頭部の後頭部突起の底部にほぼ係合することができるほど十分弾性がある。
【００３３】
図２を続けて参照すると、補強ストリップ３０がクレードル２４に加えられてもよい。補強ストリップ３０は弾性があり、ばね鋼等の多くの適切な材料から作ることができる。
【００３４】
使用の際に、クレードル２４は、穏やかな圧縮圧力を着用者の頭部にかける。圧力は一般に、クレードル２４の自由端２５と、装置が着用者の額に接触する場所のほぼ近傍にある保護装置の一部とによって、生じる。好適な実施態様において、かけられた圧力は、フェイスシールド２２を着用者の顔の前部の適所に保持するのに十分であるが、着用者の頭部に実質的な圧力痕を残すほど大きくはない。
【００３５】
クレードル２４は、たとえば溶接用途等の他の用途に使用することができる。この場合、クレードル２４は、溶接シールドに取り付けられる。
【００３６】
図５に示されるように、クレードル２４の代わりに、ハーネス２９を使用してもよい。ハーネス２９は、いずれの適切な市販のハーネスから適合することができ、空気不透過バンド５１を有してもよい。
【００３７】
図３を参照すると、装置２０が、保安帽３４等の追加の装備とともに使用されるものであるときには、クレードル２４は、ヘッドハーネス３２を含んでもよい。ヘッドハーネス３２は、フェイスシールド２２を着用者の頭部に安定させ、追加の装備に接合されてもよく、装置２０を装備に接続する。ヘッドハーネス３２は、追加装備の一部であるかまたはクレードル２４の一部であるかのいずれかであってもよい。
【００３８】
図４を参照すると、フェイスシールド２２と着用者の顔とは、実質的に呼吸ゾーンを規定する。図５を参照し、図４を続けて参照すると、このゾーンは、ヘッドクレードル２４に作用的に支持されるかまたはディフューザー４４で作用的に接続されたブロアー等のエアフロー生成器３６によって満たされる。エアフロー生成器３６は、入口４１を備えた取入口３７と出口とを有する。エアフロー生成器３６によって生成されたエアフローは、選択的に増加するかまたは減少することができる。ブロアーが起動されるときには、流量は約５０リットル／分を超えることが好ましく、およそ１１０〜１７０リットル／分の範囲がもっとも好適である。適切なエアフロー生成器３６の例は、モデルＷ−２９４９モータ／ブロアーである（ミネソタ州セントポールのミネソタマイニング＆マニュファクチャリング社。以下、３Ｍと称する）。加圧空気源を、エアフロー生成器３６の代わりにまたはこれとともに、装置に取り付けることもできる。
【００３９】
フィルタ３８は取入口３７に接続され、濾過された空気を呼吸ゾーンに提供する。好ましくは、フィルタ３８は多層材料であり、マイクロファイバ層等の内側フィルタ層を取り囲むスクリム層等の外側保護層を有する。好適な実施態様において、フィルタ３８は、柔軟な取り囲み部材である。袋状フィルタ３８は、少なくともブロアー入口４１を実質的に取り囲む。適切なフィルタ材料の例は、両方とも３Ｍに譲渡されている米国特許第５，６２０，５４５号（Ｂｒａｕｎ  ｅｔ  ａｌ．）および第５，６３９，７００号（Ｂｒａｕｎ  ｅｔ  ａｌ．）を参照することによって得られる。フィルタの柔軟性は様々な程度であってもよく、実質的に剛性に近づいてさえもよく、様々な剛さを有してもよい。フィルタ要素は、選択された構成においてあるいは取入口３７または空気入口４１に対する位置で自らを支えるようにするように、より剛性な部分を含んでもよく、またはこの目的のためにフレームが設けられてもよい。２つ以上のフィルタ要素を使用してもよい。３ＭによるＳＥＲＩＥＳ２０００フィルタ等の他の非取り囲みフィルタも本発明に適切である。
【００４０】
取入口は、図２に示されるようにポートであってもよく、または、図５に示されるように透過性または非透過性の支持構造物であってもよい。
【００４１】
ブロアー３６は、電池式であってもよく、他の源から動力を供給されてもよい。エアフロー生成器３６は電気供給されることが好ましく、電池またはソーラーアレイ等の電流生成器が空気取入部に作用的に関連している。直接ワイヤ線電圧を使用してもよい。好適な実施態様において、電源４０はフィルタ３８内に含まれる。
【００４２】
加減抵抗器、スライド、トグルまたはタッチオン／オフスイッチ等の適切な制御装置がブロアーに設けられる。
【００４３】
図２を参照すると、フィルタ３８を取入口３７から間隔をおくために入口４１近傍にスペーサー４２が作用的に設けられてもよい。
【００４４】
図６を参照すると、本発明の携帯用保護システムは、空気入口４５と空気出口４６と複数の中間バッフル４８とを備えたディフューザー４４を含んでもよい。ディフューザー４４は、空気流路を規定する。空気出口４６近傍のディフューザー４４の表面２６は、人の額にほぼ相補的である。空気不透過バンド５１が、ディフューザーおよび／またはクレードル２４またはフェイスシールド２２に設けられてもよく、装置を着用者に対して封止する助けをする。ディフューザー４４は、フェイスシールド２２に連結される。ヘッドクレードル２４は、ディフューザー４４からほぼ後ろ側に延在する。
【００４５】
図４を参照すると、フェイスシールド２２は、呼吸ゾーンから排出される前に、空気を濾過するための出口フィルタシール５０を有してもよい。出口フィルタシール５０は、一般に柔軟であり、フェイスシールド２２に作用的に連結され、フェイスシールド２２の周縁のすべてまたは一部に沿って配置される。出口フィルタは人の顔の境界に略係合して適合するようになっている。
【００４６】
出口フィルタシール５０は、フェイスシールドと着用者の顔との間の空間を実質的に占有するかまたは満たすかし、それによって、フェイスシールド２２と着用者の顔の表面と出口フィルタシール５０とによって規定される呼吸ゾーンを形成する。出口フィルタシール５０は、濾過されていない周囲空気が内側に流れるのを防ぎながら、空気が呼吸ゾーンからシールを通って排気されることを可能にする。出口フィルタシール５０を形成するのに適切な材料の例として、デュポンのＴＹＶＥＫまたは他のほぼ類似した織られたウェブまたは不織ウェブが挙げられる。３デニールポリプロピレンおよびポリエステル繊維から構成されるカード製熱結合不織ウェブが適切であるが、選択された材料が汚染された空気または周囲空気が呼吸ゾーンへ入るのを妨げる限り、ほぼ類似した織られたウェブまたは不織ウェブまたは発泡材料が使用されてもよい。出口フィルタシール５０は、たとえば、３Ｍテープ＃９２４を使用してフェイスシールド部分２２の周縁に沿って接着剤によってまたは機械的に取り付けられてもよい。出口フィルタシール５０は、濾過された呼気が必要であるかまたは所望される保護装置に使用される。
【００４７】
２つ以上の出口フィルタシール５０を使用してもよく、出口または呼気フィルタの柔軟性は変動する。
【００４８】
本発明とともにフィルタ換気帽６０を使用してもよい。使用の際に、フィルタ換気帽６０はフェイスシールド２２の縁からゆるくたれ、フェイスシールド２２とユーザの頭部との間の空間を、特にシールド２２とユーザの顔の周囲との間の空間を、実際的に占有するかまたは覆う。これは呼吸ゾーンを規定する。換気帽６０は使い捨てでもよく、単回使用用に設計され、すなわち、１回使用した後に除去され、別の換気帽と取り替えられる。換気帽６０は、出口フィルタシール５０とともに、またはこれの代わりに使用してもよい。
【図面の簡単な説明】
【図１】  本発明の保護システムの１つの実施態様の側面図である。
【図２】  本発明の１つの実施態様の側部斜視図である。
【図３】  保安帽とともに使用されるように適合された本発明のヘッドクレードル、フェイスシールドおよびブロアー／フィルタ袋特徴を示す。
【図４１】  使用中の本発明の１つの実施態様を示す。
【図５】  ハーネスと換気帽とを有する本発明の別の実施態様を示す。
【図６】  内部バッフル構造物を含む本発明のディフューザーの底面図である。
【図１】
0004119090.tif 000002
【図２】
0004119090.tif 000003
【図３】
0004119090.tif 000004
【図４】
0004119090.tif 000005
【図５】
0004119090.tif 000006
【図６】
0004119090.tif 000007